(57)【特許請求の範囲】
【請求項１】
複数のＩＰネットワークに接続する端末の名前解決におけるネットワーク特定方法であって、
接続する前記複数のＩＰネットワークの優先順位を記憶するステップと、
個々の前記ＩＰネットワークで管理する名前を取得するステップと、
前記個々のＩＰネットワークで管理する名前を記憶するステップと、
前記個々のＩＰネットワークで名前を管理する装置名を記憶するステップと、リゾルバが解決する名前について、解決要求のある名前を管理するＩＰネットワークを検索し、検索した回答をリゾルバに通知するステップと
を有することを特徴とするネットワーク特定方法。
【請求項２】
前記個々のＩＰネットワークで管理する名前を取得するステップにおいては、
前記端末が、その起動時、または一定時間間隔毎、またはアプリケーションプログラムが起動して名前解決を実施する毎に、
前記個々のＩＰネットワーク内の名前を管理する装置から、前記個々のＩＰネットワーク内で管理する名前を取得することを特徴とする請求項１に記載のネットワーク特定方法。
【請求項３】
前記個々のＩＰネットワークで管理する名前を記憶するステップにおいては、
前記個々のＩＰネットワーク毎に、取得する個々のＩＰネットワークで管理する名前を記憶することを特徴とする請求項１または２に記載のネットワーク特定方法。
【請求項４】
前記解決要求のある名前を管理するＩＰネットワークを検索し、検索した回答をリゾルバに通知するステップにおいては、
アプリケーションから名前解決の要求を受けたリゾルバが解決する名前について、記憶している前記個々のＩＰネットワークで管理する名前と照合して、当該名前を管理するＩＰネットワークを特定し、当該ＩＰネットワークの名前を管理する装置を、前記複数のＩＰネットワークの優先順位に従ってリゾルバへ通知することを特徴とする請求項１〜３のいずれか１項に記載のネットワーク特定方法。
【請求項５】
複数のＩＰネットワークに接続する端末の名前解決に用いるネットワーク特定装置であって、
接続する前記複数のＩＰネットワークの優先順位を記憶する手段と、
個々の前記ＩＰネットワークで管理する名前を取得する手段と、
前記個々のＩＰネットワークで管理する名前を記憶する手段と、
前記個々のＩＰネットワークで名前を管理する装置名を記憶する手段と、
リゾルバが解決する名前について、前記解決要求のある名前を管理するＩＰネットワークを検索し、検索した回答をリゾルバに通知する手段
とを有することを特徴とするネットワーク特定装置。
【請求項６】
前記個々のＩＰネットワークで管理する名前を取得する手段は、
前記端末が、その起動時、または一定時間間隔毎、またはアプリケーションプログラムが起動して名前解決を実施する毎に、
前記個々のＩＰネットワーク内の名前を管理する装置より、前記個々のＩＰネットワーク内で管理する名前を取得することを特徴とする請求項５に記載のネットワーク特定装置。
【請求項７】
前記個々のＩＰネットワークで名前を管理する記憶する手段は、
前記個々のＩＰネットワーク毎に、取得する個々のＩＰネットワークで管理する名前を記憶することを特徴とする請求項５または６に記載のネットワーク特定装置。
【請求項８】
前記解決要求のある名前を管理するＩＰネットワークを検索し、検索した回答をリゾルバに通知する手段は、
アプリケーションから名前解決の要求を受けたリゾルバが解決する名前について、記憶している前記個々のＩＰネットワークで管理する名前と照合して、当該名前を管理するＩＰネットワークを特定し、当該ＩＰネットワークの名前を管理する装置を、前記複数のＩＰネットワークの優先順位に従ってリゾルバへ通知することを特徴とする請求項５〜７のいずれか１項に記載のネットワーク特定装置。
【請求項９】
請求項１〜４のいずれか１項に記載のネットワーク特定方法をコンピュータ制御により実行するためのプログラム。
【請求項１０】
請求項９に記載のプログラムを記録した、コンピュータにより読み取り可能な記録媒体。
【発明の詳細な説明】
【０００１】
【発明の属する技術分野】
本発明はネットワーク特定方法および装置に関し、特にＩＰ（インターネットプロトコル）ネットワークに接続する端末が、複数のＩＰネットワークに接続するときの、名前解決におけるネットワーク特定方法および装置に関する。
【０００２】
【従来の技術】
今日、コンテンツ配送において、インターネットとは独立したＩＰネットワーク（以下、独立ネットワークという）を構築して、インターネットと独立ネットワークの両方を提供することが考えられている。
【０００３】
ところで、従来の技術では、端末を複数のＩＰネットワークへ接続する際には事前に個々のネットワークで管理する名前を当該端末へ手入力により登録することで、複数のＩＰネットワーク接続での名前解決におけるネットワークの特定を行っている。
【０００４】
【発明が解決しようとする課題】
上記従来技術では、事前に手入力により個々のネットワークで管理する名前を登録することで、複数のＩＰネットワーク接続での名前解決におけるネットワークの特定を行っているため、個々のＩＰネットワークで管理する名前の追加および修正に即応できず、また、他のＩＰネットワークで管理されている名前を利用することができないという課題があった。
【０００５】
本発明はこのような事情に鑑みてなされたものであり、その目的とするところは、従来の技術における上述の課題を解消し、複数のＩＰネットワークを同時接続した場合にも、個々のネットワークが管理する名前の追加および修正に即応できるとともに、他のＩＰネットワークで管理する名前を利用することが可能なネットワーク特定方法および装置を提供することにある。
【０００６】
より具体的には、複数のＩＰネットワークの中から、解決を目的とする名前を管理するネットワークの特定を実現し、事前の手入力による個々のネットワークで管理する名前の登録を回避するとともに、個々のネットワークが管理する名前の追加および修正に対応でき、他のＩＰネットワークで管理されている名前の利用も可能とするネットワーク特定方法および装置を提供することにある。
【０００７】
【課題を解決するための手段】
上記目的を達成するため、本発明に係るネットワーク特定方法は、複数のＩＰネットワークに接続する端末の名前解決におけるネットワーク特定方法であって、接続する前記複数のＩＰネットワークの優先順位を記憶するステップと、個々の前記ＩＰネットワークで管理する名前を取得するステップと、前記個々のＩＰネットワークで管理する名前を記憶するステップと、前記個々のＩＰネットワークで名前を管理する装置名を記憶するステップと、リゾルバが解決する名前について、解決要求のある名前を管理するＩＰネットワークを検索し、検索した回答をリゾルバに通知するステップとを有することを特徴とする。
【０００８】
ここで、前記個々のＩＰネットワークで管理する名前を取得するステップにおいては、前記端末が、その起動時、または一定時間間隔毎、またはアプリケーションプログラムが起動して名前解決を実施する毎に、前記個々のＩＰネットワーク内の名前を管理する装置から、前記個々のＩＰネットワーク内で管理する名前を取得することを特徴とする。
【０００９】
また、前記個々のＩＰネットワークで管理する名前を記憶するステップにおいては、前記個々のＩＰネットワーク毎に、取得する個々のＩＰネットワークで管理する名前を記憶することを特徴とする。
【００１０】
また、前記解決要求のある名前を管理するＩＰネットワークを検索し、検索した回答をリゾルバに通知するステップにおいては、アプリケーションから名前解決の要求を受けたリゾルバが解決する名前について、記憶している前記個々のＩＰネットワークで管理する名前と照合して、当該名前を管理するＩＰネットワークを特定し、当該ＩＰネットワークの名前を管理する装置を、前記複数のＩＰネットワークの優先順位に従ってリゾルバへ通知することを特徴とする。
【００１１】
一方、本発明に係るネットワーク特定装置は、複数のＩＰネットワークに接続する端末の名前解決に用いるネットワーク特定装置であって、接続する前記複数のＩＰネットワークの優先順位を記憶する手段と、個々の前記ＩＰネットワークで管理する名前を取得する手段と、前記個々のＩＰネットワークで管理する名前を記憶する手段と、前記個々のＩＰネットワークで名前を管理する装置名を記憶する手段と、リゾルバが解決する名前について、前記解決要求のある名前を管理するＩＰネットワークを検索し、検索した回答をリゾルバに通知する手段とを有することを特徴とする。
【００１２】
ここで、前記個々のＩＰネットワークで管理する名前を取得する手段は、前記端末が、その起動時、または一定時間間隔毎、またはアプリケーションプログラムが起動して名前解決を実施する毎に、前記個々のＩＰネットワーク内の名前を管理する装置より、前記個々のＩＰネットワーク内で管理する名前を取得することを特徴とする。
【００１３】
また、前記個々のＩＰネットワークで名前を管理する記憶する手段は、前記個々のＩＰネットワーク毎に、取得する個々のＩＰネットワークで管理する名前を記憶することを特徴とする。
【００１４】
また、前記解決要求のある名前を管理するＩＰネットワークを検索し、検索した回答をリゾルバに通知する手段は、
アプリケーションから名前解決の要求を受けたリゾルバが解決する名前について、記憶している前記個々のＩＰネットワークで管理する名前と照合して、当該名前を管理するＩＰネットワークを特定し、当該ＩＰネットワークの名前を管理する装置を、前記複数のＩＰネットワークの優先順位に従ってリゾルバへ通知することを特徴とする。
【００１５】
なお、本発明に係るネットワーク特定方法は、これをコンピュータのプログラム制御によって実行することが可能であり、本発明の権利範囲は、そのようなプログラムさらにはこのプログラムを記録した記録媒体にも及ぶものであることはいうまでもない。
【００１６】
【作用】
本発明によれば、上述のように、接続する複数のＩＰネットワークに優先順位を付与し、個々のＩＰネットワークで管理する名前とその名前を管理する装置名とをＩＰネットワークに接続する端末に記憶するとともに、ＩＰネットワークの優先順位と関連付け、名前解決の要求のあった名前と前記記憶する名前とを照合し、当該名前を管理するＩＰネットワークを優先順位に従いリゾルバに回答するようにしたことにより、複数ＩＰネットワークの中から当該名前を管理するネットワークの特定を実現し、事前の手入力による個々のネットワークで管理する名前の登録を回避するとともに、他のＩＰネットワークで管理されている名前の利用も可能となる。
【００１７】
なお、ネットワークの特定方法の一つとして、ネットワークの名前を管理する全ての装置に対して名前解決の問い合わせを行う方法も考えられる。しかし、この方法では、インターネットと無関係な独立ネットワークで管理する名前をインターネットへ送出するという課題を併せ持っているが、本発明ではこの問題も解決している。
【００１８】
【発明の実施の形態】
以下、本発明の実施の形態を、図面に示す好適実施例に基づいて、詳細に説明する。
【００１９】
図８は、名前解決に関連するＩＰネットワーク接続の一例である。インターネット端末００は１つのネットワーク（この場合は、インターネット２０）に接続する。アプリケーションから名前解決の要求を受けたリゾルバ１０は、ローカルＤＮＳサーバ２１に対して名前解決の問い合わせを行う。
【００２０】
これに対して、図１は、本発明の一実施形態に係るものであり、接続する複数のＩＰネットワークでの名前解決におけるネットワーク特定の機能ブロック図である。ＩＰネットワーク端末０１は、複数のＩＰネットワークに接続可能である。ＩＰネットワーク端末０１のリゾルバ３０には、接続する複数のＩＰネットワークから任意の名前を管理するネットワークを特定する機能を実現する手段６０（以下、単に手段６０ともいう）が接続されている。
【００２１】
さらに、前記手段６０は、接続する複数ＩＰネットワークの優先順位を記憶する機能を実現する手段７０（以下、単に手段７０ともいう）と、接続する個々のＩＰネットワークで管理する名前を記憶する機能を実現する手段８０（以下、単に手段８０ともいう）と、接続する個々のＩＰネットワークのローカルＤＮＳサーバのアドレスを記憶する機能を実現する手段９０（以下、単に手段９０ともいう）とに関連する。
【００２２】
また、ＩＰネットワーク端末０１は、複数のローカルＤＮＳサーバが個々に記憶する名前を取得する機能を実現する手段１００（以下、単に手段１００ともいう）を具備している。さらに、この手段１００は、前記手段８０と、前記手段９０と、以前に取得した独立ネットワークのローカルＤＮＳサーバの名前更新情報を記憶する機能を実現する手段１１０（以下、単に手段１１０ともいう）と、独立ネットワークのローカルＤＮＳサーバの最新の名前更新情報を一時的に記憶する手段１１１（以下、単に手段１１１ともいう）に関連する。
【００２３】
リゾルバ３０は、前記手段６０で特定されたネットワークのローカルＤＮＳサーバへ、名前解決の問い合わせを行う。ここで、前記手段１００では、前記手段６０で行う、ネットワークの特定以前に前記手段８０で記憶する個々のＩＰネットワークで管理する名前を取得する必要がある。なお、これらはブロック図の一例であり、機能が別の場所に埋め込まれてもよい。
【００２４】
また、接続するＩＰネットワークは、ここでは、インターネット２０，独立ネットワーク４０，独立ネットワーク５０である。ただし、接続ネットワークは、この形態に限られるものではない。
【００２５】
図２は、個々のＩＰネットワークで管理する名前取得の動作例である。また、図６は、個々のネットワークで管理する名前取得に関連する機能ブロック図、図７は、名前を取得し記憶するまでの動作詳細図である。
以下、図２，図６，図７に基づいて、複数のローカルＤＮＳサーバが個々に記憶する名前を取得する動作例を説明する。
【００２６】
図６に示すように、先に図１に示した前記手段１００は、前記手段８０，前記手段９０，前記手段１１０，前記手段１１１に加えて、端末の起動時、または一定時間間隔毎、またはアプリケーションプログラムが起動して名前解決を実施する毎に前記手段１００を動作させる機能を実現する手段１２０（以下、単に手段１２０ともいう）とに関連する。
【００２７】
前記手段１００は、独立ネットワークのローカルＤＮＳサーバのアドレスを問い合わせる機能を実現する手段１０１（以下、単に手段１０１ともいう）と、独立ネットワークのローカルＤＮＳサーバに名前更新情報を問い合わせる機能を実現する手段１０２（以下、単に手段１０２ともいう）と、最新の名前更新情報を前記手段１１１へ通知する機能を実現する手段１０３（以下、単に手段１０３ともいう）と、前記手段１１１が記憶する最新の名前更新情報と前記手段１１０が記憶する名前更新情報とを照合する機能を実現する手段１０４（以下、単に手段１０４ともいう）と、以前に取得した名前更新情報より新しい当該情報を持つローカルＤＮＳサーバが管理する名前を取得する機能を実現する手段１０５（以下、単に手段１０５ともいう）と、前記手段１１０に、以前に取得した名前更新情報より新しい当該情報を持つローカルＤＮＳサーバの当該情報を、また、前記手段８０に、取得した当該ローカルＤＮＳサーバが管理する名前をそれぞれ通知する機能を実現する手段１０６（以下、単に手段１０６ともいう）とを有する。なお、これらはブロック図の一例であり、機能が別の場所に埋め込まれていてもよい。
【００２８】
ここで、前記手段９０の有するテーブル９０’には、ローカルＤＮＳサーバ２１のアドレス128.10.10.1，ローカルＤＮＳサーバ４１のアドレス192.168.10.1，ローカルＤＮＳサーバ５１のアドレス192.168.20.1が記憶されている（詳細は、図７参照）。また、前記手段１１０の有するテーブル１１０’には、以前に取得した独立ネットワークのローカルＤＮＳサーバの名前更新情報が記憶されている（詳細は、図７参照）。なお、前記手段１１１の有するテーブル１１１’には、独立ネットワークのローカルＤＮＳサーバの最新の名前更新情報が一時的に記憶される（詳細は、図７参照）。
【００２９】
前述のように、名前解決におけるネットワークを特定するためには、前記手段８０の有するテーブル８０’を作成する必要がある。そこで、前述の手段１００は、前記手段９０の有するテーブル９０’が記憶しているインターネット２０のローカルＤＮＳサーバ２１以外の、独立ネットワーク４０のローカルＤＮＳサーバ４１と独立ネットワーク５０のローカルＤＮＳサーバ５１から、名前更新情報（ここでは、一例として、年月日および時刻とする）「２００２０２０１１８００」と「２００２０２１２１５４５」を取得し、前記手段１１１の有するテーブル１１１’に一時的に記憶する（ステップ２０１，２０２、図７の▲１▼〜▲３▼）。
【００３０】
次に、前記手段１００は、前記手段１１０の有するテーブル１１０’が記憶している以前に取得済みの名前更新情報「２００２０２０１１８００」および「２００１１１０５１３３０」と、上術のローカルＤＮＳサーバ４１，５１から取得した前記手段１１１の有するテーブル１１１’が一時的に記憶している名前更新情報とを照合する（ステップ２０３、図７の▲４▼）。図７に示す例では、独立ネットワーク５０の名前更新情報が「２００１１１０５１３３０」から「２００２０２１２１５４５」へ更新されているので、当該ローカルＤＮＳサーバ５１から当該ネットワークで管理する名前「ｗｗｗ．ｈｏｇｅ１．ｃｏｍ，ｗｗｗ．ｈｏｇｅｈｏｇｅ２．ｃｏｍ」を取得する（ステップ２０４，２０５、図７の▲５▼）。
【００３１】
なお、ここで、前記手段１１０の有するテーブル１１０’が記憶している以前に取得済みの名前更新情報と、前記手段１１１の有するテーブル１１１’が一時的に記憶している名前更新情報とが等しい場合には、更新の必要がないので、当該独立ネットワークの管理する名前の取得は必要ないので、行わない。
【００３２】
次に、前記手段１００は、前記手段８０の有するテーブル８０’が記憶している独立ネットワーク５０で管理する名前のデータを修正し、記憶する（ステップ２０６、図７の▲６▼）。また、前記手段１１０の有するテーブル１１０’が記憶している独立ネットワーク５０の名前更新情報についてもデータを修正し、記憶する。
【００３３】
次に、名前解決におけるネットワーク特定動作について説明する。
図３は、名前解決におけるネットワーク特定動作例である。また、図４は、ネットワーク特定に関連する機能ブロック図、図５は、名前解決におけるネットワークを特定するまでの動作詳細図である。
以下、図３，図４，図５に基づいて、名前解決におけるネットワーク特定動作について説明する。
【００３４】
図４に示すように、先に図１に示した前記手段６０は、前記リゾルバ３０から解決する名前を受け取る機能を実現する手段６１（以下、単に手段６１ともいう）と、前記手段７０，前記手段８０および前記手段９０の情報をもとに、任意の名前を管理するネットワークを、優先順位に従って検索する機能を実現する手段６２（以下、単に手段６２ともいう）と、特定したネットワークのローカルＤＮＳサーバのアドレスを優先順位の高い方から前記リゾルバ３０に通知する機能を実現する手段６３（以下、単に手段６３ともいう）とを有する。なお、これらはブロック図の一例であり、機能が別の場所に埋め込まれていてもよい。
【００３５】
また、前記手段７０の有するテーブル７０’には、ローカルＤＮＳサーバ４１が問い合わせ先になる独立ネットワーク４０が優先順位１、ローカルＤＮＳサーバ５１が問い合わせ先になる独立ネットワーク５０が優先順位２、ローカルＤＮＳサーバ２１が問い合わせ先になるインターネット２０が優先順位３と記憶されている（詳細は、図５参照）。なお、この優先順位は、利用者の用途等に応じて自由に設定することができる。
【００３６】
本名前解決におけるネットワーク特定動作においては、上述の前記手段７０の有するテーブル７０’に記憶されている優先順位に加えて、前記手段８０の有するテーブル８０’に記憶されている接続する個々のＩＰネットワークで管理する名前，前記手段９０の有するテーブル９０’に記憶されている接続する個々のＩＰネットワークのローカルＤＮＳサーバのアドレスが参照される。
【００３７】
この例では、名前解決におけるネットワークの特定において、コンテンツ入手のため、ユーザがWebブラウザにｈｔｔｐ：／／ｗｗｗ．ｈｏｇｅ１．ｃｏｍ／ｈｏｇｅ／ｈｏｍｅ．ｈｔｍｌと要求すると、Webアプリケーションがリゾルバ３０に対して名前解決の依頼を行う（ステップ３０１）。
【００３８】
この名前解決の要求を受け取ったリゾルバ３０は、前記手段６０に対して、ｗｗｗ．ｈｏｇｅｌ．ｃｏｍを管理するネットワークの特定を依頼する（ステップ３０２）。前記手段６０は、前記手段６２により、前記手段７０の有するテーブル７０’から、接続するネットワークの優先順位を把握する（ステップ３０３、図７の▲１▼）。そして、前記手段８０の有するテーブル８０’から、上で把握した優先順位に従い、かつ、名前解決の依頼のある名前ｗｗｗ．ｈｏｇｅ１．ｃｏｍと一致する名前を管理するネットワークである、独立ネットワーク４０と独立ネットワーク５０とを特定する（ステップ３０４、図７の▲２▼）。
【００３９】
さらに、前記手段６２は、前記手段９０の有するテーブル９０’から、当該独立ネットワーク４０と独立ネットワーク５０を管理するローカルＤＮＳサーバアドレス「192.168.10.1」と「192.168.20.1」を取得し（図７の▲３▼）、優先順位に従い、リゾルバへ通知する（ステップ３０５、図７の▲４▼）。リゾルバは、コンテンツ入手のため、優先順位に従い、当該ローカルＤＮＳサーバに対してｈｔｔｐ：／／ｗｗｗ．ｈｏｇｅ１．ｃｏｍ／ｈｏｇｅ／ｈｏｍｅ．ｈｔｍｌの名前解決を行う。
【００４０】
ここで、何らかの事由により回答がない（ローカルＤＮＳサーバアドレスが得られない）場合には、前記手段６２は、インターネット２０のローカルＤＮＳサーバ２１のアドレス「128.10.10.1」をリゾルバに回答して（ステップ３０６）、処理を終了する。
【００４１】
なお、前記手段７０の有するテーブル７０’において、インターネットの優先順位を最下位にしているのは、前記手段８０において、名前解決を依頼された名前を管理する独立ネットワークがない場合、インターネットへ接続することを意味している。
【００４２】
上記実施形態によれば、複数のＩＰネットワークの中から、解決を目的とする名前を管理するネットワークの特定を実現することができ、事前の手入力による個々のネットワークで管理する名前の登録を回避するとともに、個々のネットワークが管理する名前の追加および修正に対応でき、さらに、他のＩＰネットワークで管理されている名前の利用をも可能とするネットワーク特定方法および装置を実現することができるという効果が得られる。
【００４３】
なお、上記実施形態は本発明の一例を示すものであり、本発明はこれに限定されるべきものではなく、本発明の要旨を逸脱しない範囲内で、適宜の変更，改良を行ってもよいことはいうまでもない。
【００４４】
また、本発明に係るネットワーク特定方法は、これをコンピュータのプログラム制御によって実行することが可能であり、本発明の権利範囲は、そのようなプログラムさらにはこのプログラムを記録した記録媒体にも及ぶものであることは前述の通りである。
【００４５】
【発明の効果】
以上、詳細に説明したように、本発明によれば、本名前解決におけるネットワーク特定方法および装置は、ＩＰネットワーク端末が、複数のＩＰネットワークの中から任意の名前を管理するネットワークを優先順位に従い特定することで、個々のネットァークが管理する名前の追加および修正に即応できるとともに、他のＩＰネットワークで利用する名前を利用することが可能になるという顕著な効果を奏するものである。
【００４６】
さらには、独立ネットワークで管理する名前の解決において、インターネットと無関係な名前をインターネットへ送出することを防止するという効果をも得ることができる。
【図面の簡単な説明】
【図１】本発明の一実施形態に係るネットワーク特定の機能ブロック図である。
【図２】実施形態に係る個々のＩＰネットワークで管理する名前取得の動作例を示す図である。
【図３】実施形態に係る名前解決におけるネットワーク特定の詳細動作例を示す図である。
【図４】実施形態に係るネットワーク特定の機能ブロック構成の詳細図である。
【図５】実施形態に係る名前解決におけるネットワークを特定するまでの詳細な動作例を示す図である。
【図６】実施形態に係る個々のＩＰネットワークで管理する名前取得に関連する機能ブロック図である。
【図７】実施形態に係る個々のＩＰネットワークで管理する名前を取得し記憶するまでの詳細な動作例を示す図である。
【図８】一般的な名前解決に関連するＩＰネットワーク接続の一例を示す図である。
【符号の説明】
００  インターネット端末
１０，３０  リゾルバ
２０  インターネット
２１，４１，５１  ローカルＤＮＳサーバ
６０  接続する複数ネットワークから任意の名前を管理するネットワークを特定する手段
６１  リゾルバから解決する名前を受け取る手段
６２  複数ネットワークの優先順位、個々のＩＰネットワークで管理する名前、および個々のＩＰネットワークのローカルＤＮＳサーバのアドレスの情報をもとに、任意の名前を管理するネットワークを検索する手段
６３  特定したネットワークのローカルＤＮＳサーバのアドレスをリゾルバに通知する手段
６３’  手段６３の有するテーブル
７０  接続する複数ＩＰネットワークの優先順位を記憶する手段
７０’  手段７０の有するテーブル
８０  接続する個々のＩＰネットワークで管理する名前を記憶する手段
８０’  手段８０の有するテーブル
９０  接続する個々のＩＰネットワークのローカルＤＮＳサーバのアドレスを記憶する手段
９０’  手段９０の有するテーブル
１００  複数のローカルＤＮＳサーバが個々に記憶する名前を取得する手段
１０１  独立ネットワークのローカルＤＮＳサーバのアドレスを問い合わせる手段
１０２  独立ネットワークのローカルＤＮＳサーバに名前更新情報を問い合わせる手段
１０３  最新の名前更新情報を手段１１１へ通知する手段
１０４  手段１１１が記憶する最新の名前更新情報と手段１１０が記憶する名前更新情報を照合する手段
１０５  以前に取得した名前更新情報より新しい当該情報を持つローカルＤＮＳサーバが管理する名前を取得する手段
１０６  以前に取得した名前更新情報より新しい当該情報を持つローカルＤＮＳサーバの当該情報を手段１１０，取得した当該サーバが管理する名前を手段８０に通知する手段
１１０  以前に取得した独立ネットワークのローカルＤＮＳサーバの名前更新情報を記憶する手段
１１０’  手段１１０の有するテーブル
１１１  独立ネットワークのローカルＤＮＳサーバの最新の名前更新情報を一時的に記憶する手段
１１１’  手段１１１の有するテーブル
１２０  端末の起動時、または一定時間間隔毎、またはアプリケーションプログラムが起動して名前解決を実施する毎に手段１００を動作させる手段
【図１】
0003709464.tif 000002
【図２】
0003709464.tif 000003
【図３】
0003709464.tif 000004
【図４】
0003709464.tif 000005
【図５】
0003709464.tif 000006
【図６】
0003709464.tif 000007
【図７】
0003709464.tif 000008
【図８】
0003709464.tif 000009